(57)【要約】      （修正有）【課題】製造および組立が簡単で、製造コストを削減しながら放熱効率を維持するＬＥＤ照明装置の組み合わせ構造を提供する。【解決手段】ＬＥＤ照明装置１は、灯座、灯座内に配置された発光モジュール２０、灯座の外側に被せられた透光板３０および不透光板を含む。灯座は、少なくとも３つに分離できるカバー１２および２つのカバー端部からなる。長方形の収納空間を有するよう、カバー１２とカバー端部とは、一体成型される。灯座の２つの長辺は、カバー側面部１２１をそれぞれ有する。２つのカバー側面部１２１は、内側に向かってそれぞれ傾き、カバー中間部１２２を挾着している。カバー側面部１２１およびカバー中間部１２２は、内底面１２００をそれぞれ有し、結合機構により相互に結合している。このように、ＬＥＤ照明装置１は、簡単に組立を行うことができる。【選択図】図９
0003150841.tif 000002
【実用新案登録請求の範囲】
【請求項１】
少なくとも３つに分離できるカバーおよび２つのカバー端部からなり、長方形の収納空間を有するよう、２つの長辺がカバー側面部をそれぞれ有し、前記２つのカバー側面部は内側に向かってそれぞれ傾き、カバー中間部を挾着し、前記カバー側面部および前記カバー中間部は内底面をそれぞれ有し、結合機構により相互に結合し、前後２つの端部が前記カバー端部をそれぞれ設けている灯座と、
一方の端部が前記内底面に固着され、内部に収納部を設けるカップ型熱伝導体と、複数のＬＥＤを有し、前記収納部内に配置されている発光ユニットと、前記カップ型熱伝導体のもう一方の端部を封止する透光鏡と、を有し、前記内底面に配置されている複数の発光モジュールと、
前記灯座の外側を封止する透光板と、を備えることを特徴とするＬＥＤ照明装置の組み合わせ構造。
【請求項２】
前記カバーは、上方に向かって延伸し、間隔を空けて配列された複数の放熱フィンを外表面に配置することを特徴とする請求項１に記載のＬＥＤ照明装置の組み合わせ構造。
【請求項３】
前記結合機構は、前記カバー側面部の前記カバー中間部を結合する一方の側に設けられた凹溝、および前記凹溝に対応する前記カバー中間部の突起であることを特徴とする請求項１に記載のＬＥＤ照明装置の組み合わせ構造。
【請求項４】
前記凹溝と前記突起との間にパッキンがさらに設けられていることを特徴とする請求項３に記載のＬＥＤ照明装置の組み合わせ構造。
【請求項５】
前記灯座の後端の前記カバー端部は、電柱を装着する開口を設け、前記開口の下縁に前記開口から滲入した水気またはほこりが溜まる溝が設けられていることを特徴とする請求項１に記載のＬＥＤ照明装置の組み合わせ構造。
【請求項６】
前記透光板は、周縁に防水パッキンをさらに設けていることを特徴とする請求項１に記載のＬＥＤ照明装置の組み合わせ構造。
【請求項７】
前記収納空間を前端の光源室と、後端の電気室とに分ける隔離版をさらに備えることを特徴とする請求項１に記載のＬＥＤ照明装置の組み合わせ構造。
【請求項８】
前記隔離版は、発光ユニットに電気的に接続される電源コンセントが設けていることを特徴とする請求項７に記載のＬＥＤ照明装置の組み合わせ構造。
【請求項９】
前記透光板は、前記光源室の外側を封止し、前記電気室は不透光板により封止されていることを特徴とする請求項７に記載のＬＥＤ照明装置の組み合わせ構造。
【請求項１０】
前記不透光板は、周縁に防水パッキンをさらに設けていることを特徴とする請求項９に記載のＬＥＤ照明装置の組み合わせ構造。
【請求項１１】
前記発光モジュールは、一方の面が前記発光モジュールに貼着され、もう一方の面が前記内底面に貼着されている均温板をさらに有することを特徴とする請求項１に記載のＬＥＤ照明装置の組み合わせ構造。
【考案の詳細な説明】
【技術分野】
【０００１】
本考案は、ＬＥＤ照明装置に関し、特に、ＬＥＤ街灯に関する。
【背景技術】
【０００２】
従来街灯に用いられた水銀灯は、長時間の使用により発生した高熱がランプの寿命を縮めてしまうことが多かった。また、消費電力が多く、環境にやさしくないため、輝度が高く、消費電力が少なく、寿命が長いＬＥＤ街灯に徐々に変わられるようになっている。
【０００３】
ＬＥＤの発生した廃熱が寿命に大きな悪影響を与えるため、ＬＥＤ街灯は、放熱装置を設けてＬＥＤが発生した廃熱の放熱を加速させることが多かった。従来のＬＥＤ街灯に用いられる放熱装置は、灯座カバーに複数の放熱フィンを設けたもので、大きな放熱面積を有する放熱フィンにより、放熱を加速させた。従来のＬＥＤ街灯は、灯座本体、灯座本体内に配置された複数の発光ユニット、および灯座本体表面に設けられ、上方に向かって延伸し、間隔を空けて配列された複数の放熱フィンからなる。灯座本体および放熱フィンが灯座本体内の底面に配置されたＬＥＤの発光時の放熱を行った。
【０００４】
上記の構造において、灯座本体および放熱フィンは、アルミニウム、銅など熱伝導性の良好な材料からなる。街灯は、灯座本体の面積が大きいため、灯座本体に配置される放熱フィンも数量が多くなり、面積も大きくなる。灯座本体および放熱フィンがアルミニウム圧縮またはプレスにより一体成型されると、金型コストが高く、製造工程が多いため、大量生産に不向きであった。また、灯座本体の体積が大きいため、輸送工程で破損しやすく、良品率を下げた。そのため、ＬＥＤ街灯の放熱効率を維持しながら、いかに製造コストを下げるかが大きな課題であった。
【先行技術文献】
【特許文献】
【０００５】
【特許文献１】実用新案登録第３１２６６２８号公報
【考案の概要】
【考案が解決しようとする課題】
【０００６】
本考案の目的は、３つに分離できるカバーおよび２つのカバー端部からなる灯座により、製造および組立が簡単になり、製造コストを削減しながら放熱効率を維持するＬＥＤ照明装置を提供することにある。
【０００７】
上述の目的を達成するため、本考案は、ＬＥＤ照明装置の組み合わせ構造を提供する。本考案のＬＥＤ照明装置の組み合わせ構造は、灯座、灯座内に配置された発光モジュール、灯座の外側に被せられた透光板および不透光板を含む。灯座は、少なくとも３つに分離できるカバーおよび２つのカバー端部からなる。長方形の収納空間を有するよう、カバーとカバー端部とは、一体成型される。灯座の２つの長辺は、カバー側面部をそれぞれ有する。２つのカバー側面部は、内側に向かってそれぞれ傾き、カバー中間部を挾着している。カバー側面部およびカバー中間部は、内底面をそれぞれ有し、結合機構により相互に結合している。このように、ＬＥＤ照明装置は、簡単に組立を行うことができる。
【考案の効果】
【０００８】
本考案のＬＥＤ照明装置の組み合わせ構造は、３つに分離できるカバーおよび２つのカバー端部からなる灯座を用いるため、金型にかかるコストを削減することができる。また、灯座の製造時間を短縮することができるので、大量生産に適し、運送工程においても破損が少なく、良品率を向上させることができる。
【図面の簡単な説明】
【０００９】
【図１】本考案の一実施形態によるＬＥＤ照明装置の組み合わせ構造を示す斜視図である。
【図２】本考案のＬＥＤ照明カバーを示す斜視図である。
【図３】本考案のＬＥＤ照明カバーの組み合わせを示す断面図である。
【図４】本考案の灯座を示す分解斜視図である。
【図５】本考案の灯座を示す斜視図である。
【図６】本考案の発光モジュールを示す斜視図である。
【図７】本考案の透光板および不透光板の組み合わせを示す斜視図である
【図８】本考案の不透光板と防水パッキンとの組み合わせを示す分解斜視図である。
【図９】本考案の一実施形態によるＬＥＤ照明装置を示す断面図である。
【図１０】本考案の一実施形態によるＬＥＤ照明装置を示すもう１つの断面図である。
【図１１】本考案の一実施形態によるＬＥＤ照明装置の使用動作を示す断面図である。
【考案を実施するための形態】
【００１０】
以下、本考案の実施形態を図面に基づいて説明する。図１を参照する。図１は、本考案の一実施形態によるＬＥＤ照明装置の組み合わせ構造を示す斜視図である。図１に示すように、ＬＥＤ照明装置１は、灯座１０、灯座１０内に配置された発光モジュール２０、灯座１０の外側に被せられた透光板３０および不透光板４０を含む。
【００１１】
図２〜５を参照して説明する。図２は、本考案のＬＥＤ照明カバーを示す斜視図である。図３は、本考案のＬＥＤ照明カバーの組み合わせを示す断面図である。図４は、本考案の灯座を示す分解斜視図である。図５は、本考案の灯座を示す斜視図である。図２〜５に示すように、灯座１０は、熱伝導性の良好なアルミニウムから製造され、少なくとも３つに分離できるカバー１２および２つのカバー端部１３からなる。長方形の収納空間１１を有するよう、カバー１２とカバー端部１３とは、一体成型される。灯座１０の２つの長辺は、カバー側面部１２１をそれぞれ有する。２つのカバー側面部１２１は、内側に向かってそれぞれ傾き、カバー中間部１２２を挾着している。カバー側面部１２１およびカバー中間部１２２は、内底面１２００をそれぞれ有し、結合機構により相互に結合し、上方に向かって延伸し、間隔を空けて配列された複数の放熱フィン１２０１が外表面に配置されている。本実施形態において、結合機構は、カバー側面部１２１のカバー中間部１２２を結合する一方の側に設けられた凹溝１２１１、凹溝１２１１に対応するカバー中間部１２２の突起１２２１、および凹溝１２１１と突起１２２１との間に挾着されたパッキン１２３から構成されている。パッキン１２３は、凹溝１２１１と突起１２２１との結合をさらに緊密にする。
【００１２】
灯座１０の前後の端部にカバー端部１３がそれぞれ配置されている。２つのカバー端部１３は、複数のネジ１３１（図１０参照）を用いてカバー１２の側面に螺着されることにより、３つのカバー１２の前後の端部を固定および封着している。灯座１０の後端のカバー端部１３は、開口１３０を設けている。開口１３０は、電柱５０（図１１参照）を装着するのに用いられる。収納空間１１内に隔離版１４が配置され、収納空間１１を前端の光源室１１１と、後端の電気室１１２とに分ける。光源室１１１は、発光ユニット２２を収納し、電気室１１２は、給電する電気装置を収納している。
【００１３】
図６〜８を参照して説明する。図６は、本考案の発光モジュールを示す斜視図である。図７は、本考案の透光板および不透光板の組み合わせを示す斜視図である。図８は、本考案の不透光板と防水パッキンとの組み合わせを示す分解斜視図である。図６〜８に示すように、光源室１１１は、複数の発光モジュール２０を収納している。発光モジュール２０は、カバー１２の内底面１２００に配置されている。発光モジュール２０は、カップ型熱伝導体２１，発光ユニット２２および透光鏡２３を含む。カップ型熱伝導体２１の一方の端部は、内底面１２００に固着され、もう一方の端部は、透光鏡２３で封止されている。カップ型熱伝導体２１の内部には、収納部２１０が設けられている。収納部２１０は、回路版２２２を有する複数のＬＥＤ２２１を有する発光ユニット２２を収納している。本実施形態において、回路版２２２は、均温板２４の一方の面に貼着されている。均温板２４のもう一方の面は、カバー１２の内底面１２００に貼着されている。均温板２４は、発光ユニット２２の発生した熱が均等に伝導されるのを補助する。
【００１４】
複数のＬＥＤ２２１が発光するのに必要な電力を供給するために、灯座１０の隔離版１４には、電源および発光ユニット２２に電気的に接続される電源コンセント１４１が設けられている。隔離版１４の外側には、透光板３０と不透光板４０とを結合させる複数のピン差込口１４２が設けられている。透光板３０と不透光板４０とは、ピン４１により灯座１０の外側に結合されている。透光板３０は、光源室１１１を封止し、不透光板４０は、電気室１１２を封止している。図８に示すように、不透光板４０の内側の周縁に防水パッキン４２が設けられ、水気、ほこりなどが接合部分の隙間から灯座１０内に滲入するのを防止している。同様に、透光板３０の内側の周縁にも防水パッキン４２が設けられている。
【００１５】
図９および図１０を参照して説明する。図９は、本考案の一実施形態によるＬＥＤ照明装置を示す断面図である。図１０は、本考案の一実施形態によるＬＥＤ照明装置を示すもう１つの断面図である。図９および図１０に示すように、カバー１２は、２つのカバー側面部１２１とカバー中間部１２２を組み合わせてなる。カバー中間部１２２の突起１２２１は、カバー側面部１２１の凹溝１２１１内に挿着され、発光モジュール２０は、収納空間１１内に収納され、複数のネジ２５によりカバー１２上に結合される。発光モジュール２０の組み立てが完成すると、均温板２４がカバー１２内の内底面１２００に貼着される。前後２つのカバー端部１３は、灯座１０の前後の２つの端部をそれぞれ被うように配置されることにより、収納空間１１を形成している。隔離版１４が収納空間１１を前端の光源室１１１と、後端の電気室１１２とに分ける。透光板３０および不透光板４０は、光源室１１１および電気室１１２をそれぞれ封止している。隔離版１４の電源コンセント１４１は、電気装置（図示せず）および発光モジュール２０に電気的に接続している。電気装置は、電源に電気的に接続されている。カバー端部１３の開口１３０の下縁には、開口１３０から滲入した水気またはほこりが溜まる溝１３２が設けられている。
【００１６】
図１１を参照して説明する。図１１は、本考案の一実施形態によるＬＥＤ照明装置の使用動作を示す断面図である。図１１に示すように、ＬＥＤ照明装置１は、電柱５０上に配置されている。電柱５０は、後端のカバー端部１３の開口１３０に挿着されている。複数の発光モジュール２０が稼動して一定の時間が経つと、熱が発生し、その大部分は、まず、カバー１２の内底面１２００に伝導され、その後、灯座１０およびその表面上に延伸するように設けられた放熱フィン１２０１に伝導され、灯座１０および放熱フィン１２０１により、迅速に放熱が行われる。本実施形態において、複数の発光モジュール２０は、３×３の９個の発光モジュール２０の配列方式によりカバー１２の内底面１２００上に配置されている。これにより、照射強度を向上させ、光線を比較的均等に照射することができる。発光モジュール２０の数量は、これに限定されるものではない。
【００１７】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１８】
１  ＬＥＤ照明装置
１０  灯座
１１  収納空間
１２  カバー
１３  カバー端部
１４  隔離版
２０  発光モジュール
２１  カップ型熱伝導体
２２  発光ユニット
２３  透光鏡
２４  均温板
２５  ネジ
３０  透光板
４０  不透光板
４１  ピン
４２  防水パッキン
５０  電柱
１１１  光源室
１１２  電気室
１２１  カバー側面部
１２２  カバー中間部
１２３  パッキン
１３０  開口
１３１  ネジ
１３２  溝
１４１  電源コンセント
１４２  ピン差込口
２１０  収納部
２２１  ＬＥＤ
２２２  回路版
１２００  内底面
１２０１  放熱フィン
１２１１  凹溝
１２２１  突起
【図１】
0003150841.tif 000003
【図２】
0003150841.tif 000004
【図３】
0003150841.tif 000005
【図４】
0003150841.tif 000006
【図５】
0003150841.tif 000007
【図６】
0003150841.tif 000008
【図７】
0003150841.tif 000009
【図８】
0003150841.tif 000010
【図９】
0003150841.tif 000011
【図１０】
0003150841.tif 000012
【図１１】
0003150841.tif 000013